(57)【要約】【課題】  短時間で多ブランチの選択を適切に行うことが可能なアンテナダイバーシチ装置を提供する。【解決手段】  ダイバーシチアンテナ装置は、複数のアンテナＡ１〜Ａ４と、複数のアンテナＡ１〜Ａ４の優先度を記憶する優先度記憶部１と、優先度に基づいて複数のアンテナＡ１〜Ａ４の中から２つのアンテナを選択する第１のアンテナ選択部２と、選択された２つのアンテナのうちのいずれかを選択する第２のアンテナ選択部３と、第２のアンテナ選択部３の選択結果に基づいて優先度を更新する優先度算出部４と、第１および第２のアンテナ選択部２，３の選択結果に基づいて複数のアンテナＡ１〜Ａ４を切り替えるスイッチ５とを備えている。アンテナＡ１〜Ａ４に優先度を付け、その優先度に基づいて第１のアンテナ選択部２で２つのアンテナを選択した後、そのうちの一つを第２のアンテナ選択部３で選択するため、第１および第２のアンテナ選択部２，３での選択内容により種々のアンテナを選択でき、アンテナが３素子以上あっても、その中から最適なアンテナを選択することができる。【選択図】  図１
2005130175.tif 000002
【特許請求の範囲】
【請求項１】
無線信号を受信するＮ（Ｎは３以上の整数）本のアンテナと、
前記Ｎ本のアンテナの優先度を記憶する優先度記憶手段と、
前記優先度に基づいて、前記Ｎ本のアンテナのうちの２つのアンテナを選択する第１アンテナ選択手段と、
所定の条件に基づいて、前記選択された２つのアンテナのうちのいずれかを選択する第２アンテナ選択手段と、
前記第２アンテナ選択手段の選択結果に基づいて、前記優先度記憶手段に記憶される前記Ｎ本のアンテナの優先度を更新する優先度更新手段と、を備えることを特徴とするダイバーシチアンテナ装置。
【請求項２】
前記第１アンテナ選択手段により選択された前記２つのアンテナのうち一方は、直前に選択していたアンテナであって待受けアンテナとして設定され、他方は前記待受けアンテナの切替えアンテナとして設定されることを特徴とする請求項１に記載のダイバーシチアンテナ装置。
【請求項３】
前記待受けアンテナは第１優先度のアンテナであり、前記切替えアンテナは第２優先度のアンテナであることを特徴とする請求項２に記載のダイバーシチアンテナ装置。
【請求項４】
前記優先度更新手段は、前記第２アンテナ選択手段が第１優先度のアンテナを選択した場合には、第１優先度のアンテナ以外のアンテナのうち少なくとも一つの優先度を更新することを特徴とする請求項３に記載のダイバーシチアンテナ装置。
【請求項５】
前記優先度更新手段は、前記第２アンテナ選択手段が第１優先度のアンテナを選択した場合には、第１優先度のアンテナの優先度を変更せずに、２番目に優先度が高いアンテナの優先度を最低にし、残りのアンテナの優先度を１段階ずつ高くすることを特徴とする請求項４に記載のダイバーシチアンテナ装置。
【請求項６】
前記第２アンテナ選択手段は、
前記待受けアンテナの受信強度を測定する第１受信強度測定手段と、
前記切替えアンテナの受信強度を測定する第２受信強度測定手段と、
前記待受けアンテナ及び前記切替えアンテナのうち、予め定めた受信強度の上限を超えないアンテナを選択する受信強度判定手段と、を有することを特徴とする請求項１及至５のいずれかに記載のダイバーシチアンテナ装置。
【請求項７】
無線信号のフレームを最初から最後まで正常に受信したか否かを判断する受信判断手段を備え、
前記優先度更新手段は、前記受信判断手段により無線信号のフレームが最初から最後まで正常に受信されたと判断された場合に前記Ｎ本のアンテナの優先度を更新し、前記フレームの少なくとも一部が受信されなかったと判断された場合は前記Ｎ本のアンテナの優先度の更新を行わないことを特徴とする請求項１及至６のいずれかに記載のダイバーシチアンテナ装置。
【請求項８】
前記優先度更新手段は、前記受信判断手段により無線信号のフレームの少なくとも一部が受信されなかったと判断された場合には、前記Ｎ本のアンテナのうち第１優先度のアンテナ以外の少なくとも一つのアンテナの優先度を変更することを特徴とする請求項７に記載のダイバーシチアンテナ装置。
【請求項９】
前記優先度更新手段は、前記受信判断手段により無線信号のフレームの少なくとも一部が受信されなかったと判断された場合には、前記Ｎ本のアンテナのうち、第１優先度のアンテナの優先度を変えずに、第２優先度のアンテナの優先度を最低にし、その他のアンテナの優先度を１段階ずつ高くすることを特徴とする請求項８に記載のダイバーシチアンテナ装置。
【請求項１０】
前記第２アンテナ選択手段が第１優先度のアンテナを選択した場合にカウントアップし、２番目に優先度が高いアンテナを選択した場合にカウントダウンする計測手段を備え、
前記優先度更新手段は、前記カウンタの計測値が所定値以下になった場合のみ、前記Ｎ本のアンテナの優先度を更新することを特徴とする請求項１及至９のいずれかに記載のダイバーシチアンテナ装置。
【請求項１１】
前記優先度更新手段は、前記カウンタの計測値が所定値以下になると、第１優先度のアンテナの優先度を最低にし、その他のアンテナの優先度を１段階ずつ高くすることを特徴とする請求項１０に記載のダイバーシチアンテナ装置。
【請求項１２】
特定の無線通信装置からの無線信号を受信したことを検出する送信元検出手段を備え、
前記優先度更新手段は、前記送信元検出手段により前記特定の無線通信装置からの無線信号の受信が検出された場合のみ、前記Ｎ本のアンテナの優先度を更新することを特徴とする請求項１及至１１のいずれかに記載のダイバーシチアンテナ装置。
【請求項１３】
それぞれがＮ本のアンテナを有し、対応するＮ本のアンテナのうちの一つを選択して無線信号を受信する複数の制御装置と、
前記複数の制御装置で受信された無線信号を合成する合成手段と、を備え、
前記複数の制御装置はそれぞれ、
対応するＮ本のアンテナの優先度を記憶する優先度記憶手段と、
前記優先度に基づいて、前記Ｎ本のアンテナのうちの２つのアンテナを選択する第１アンテナ選択手段と、
所定の条件に基づいて、前記選択された２つのアンテナのうちのいずれかを選択する第２アンテナ選択手段と、
前記第２アンテナ選択手段の選択結果に基づいて、前記優先度記憶手段に記憶される前記Ｎ本のアンテナの優先度を更新する優先度更新手段と、を有することを特徴とするダイバーシチアンテナ装置。
【請求項１４】
無線信号を受信するＮ本のアンテナの優先度を記憶し、
前記優先度に基づいて、前記Ｎ本のアンテナのうちの２つのアンテナを選択し、
所定の条件に基づいて、前記選択された２つのアンテナのうちのいずれかを選択し、
前記選択された２つのアンテナのうちのいずれか一つの選択結果に基づいて、前記Ｎ本のアンテナの優先度を更新することを特徴とするダイバーシチアンテナ制御方法。
【発明の詳細な説明】
【技術分野】
【０００１】
本発明は、複数のアンテナの中から所望のアンテナを選択して無線信号を受信するダイバーシチアンテナ装置およびダイバーシチアンテナ制御方法に関し、特に、時間変動が緩やかな伝搬環境での多素子アンテナダイバーシチ技術に関する。
【背景技術】
【０００２】
従来の無線LAN通信方式（例えばIEEE802.11）におけるフレーム受信処理では、２素子のダイバーシチを想定して、データの前に付加されるプリアンブルの長さが設定されている（例えば、非特許文献１参照）。
【非特許文献１】IEEE Std 802.11a-1999
【発明の開示】
【発明が解決しようとする課題】
【０００３】
しかしながら、従来は、ダイバーシチブランチをN（Nは3以上の整数）にした場合に、2ブランチ用に充てられているプリアンブルの期間でNブランチからの選択を行うので、適切なブランチ選択ができず、結果として受信特性が劣化するという問題があった。
【０００４】
あるいは、ブランチ数を増やした分だけブランチ選択に要するプリアンブルの期間が長くなるので、同期処理等、他の処理に充てられるプリアンブルの期間が短くなり、結果として受信特性が劣化するという問題があった。
【０００５】
本発明は、このような問題点に鑑みてなされたものであり、その目的は、短時間で多ブランチの選択を適切に行うことが可能なアンテナダイバーシチ装置およびアンテナダイバーシチ方法を提供することにある。
【課題を解決するための手段】
【０００６】
上記の目的を達成するため、本発明は、無線信号を受信するＮ本のアンテナと、前記Ｎ本のアンテナの優先度を記憶する優先度記憶手段と、前記優先度に基づいて、前記Ｎ本のアンテナのうちの２つのアンテナを選択する第１アンテナ選択手段と、所定の条件に基づいて、前記選択された２つのアンテナのうちのいずれかを選択する第２アンテナ選択手段と、前記第２アンテナ選択手段の選択結果に基づいて、前記優先度記憶手段に記憶される前記Ｎ本のアンテナの優先度を更新する優先度更新手段と、を備える。
【発明の効果】
【０００７】
本発明によれば、第１アンテナ選択手段で選択した２つのアンテナのうち一方を第２アンテナ選択手段で選択し、その選択結果に基づいて複数のアンテナの優先度を更新するため、第２アンテナ選択手段で選択する対象となる２つのアンテナを必要に応じて切り替えることで、２つのアンテナの種々の組み合わせを選択対象とすることができ、最適なアンテナを選択することができる。
【発明を実施するための最良の形態】
【０００８】
以下、本発明に係るダイバーシチアンテナ装置およびダイバーシチアンテナ制御方法の一実施形態について、図面を参照しながら具体的に説明する。
【０００９】
（第１の実施形態）
図１は本発明に係るダイバーシチアンテナ装置の第１の実施形態の概略構成を示すブロック図である。図１には、無線信号を受信する受信装置の構成しか図示されていないが、無線信号を送信する送信装置が設けられていてもよい。また、図１は、４つのアンテナでダイバーシチを行う例を示すが、３本以上であれば、アンテナの数には特に制限はない。
【００１０】
図１のダイバーシチアンテナ装置は、ブランチ数Ｎ＝４の複数のアンテナＡ１〜Ａ４と、複数のアンテナＡ１〜Ａ４の優先度を記憶する優先度記憶部１と、優先度に基づいて複数のアンテナＡ１〜Ａ４の中から２つのアンテナを選択する第１のアンテナ選択部２と、選択された２つのアンテナのうちのいずれかを選択する第２のアンテナ選択部３と、第２のアンテナ選択部３の選択結果に基づいて優先度記憶部１に記憶される複数のアンテナＡ１〜Ａ４の優先度を更新する優先度算出部４と、第１および第２のアンテナ選択部２，３の選択結果に基づいて複数のアンテナＡ１〜Ａ４を切り替えるスイッチ５とを備えている。複数のアンテナＡ１〜Ａ４で受信された無線信号のいずれかがスイッチ５で選択された後、復調部６に送られて復調される。
【００１１】
図２は優先度記憶部１に記憶される内容の一例を示す図である。図示のように、アンテナごとに優先度を示す値（ステート）が記憶されている。ステートが大きいほど、優先度が高いことを示しており、アンテナA3が最も優先度が高く、次がアンテナA1、次がアンテナA４で、アンテナA2が最も優先度が低いことを示している。
【００１２】
図３は第１のアンテナ選択部２の内部構成の一例を示すブロック図である。図３の第１のアンテナ選択部２は、第１および第２優先度のアンテナを選択する第１第２優先度アンテナ選択部１１と、第１第２優先度アンテナ選択部１１で選択されたアンテナのうち一方を待受けアンテナとして設定する待受けアンテナ設定部１２と、第１第２優先度アンテナ選択部１１で選択されたアンテナのうち他方を切替えアンテナとして設定する切替えアンテナ設定部１３とを有する。
【００１３】
図４は図３の第１第２優先度アンテナ選択部１１の内部構成の一例を示すブロック図である。図４の第１第２優先度アンテナ選択部１１は、第１優先度のアンテナを選択する第１優先度アンテナ選択部１４と、第２優先度のアンテナを選択する第２優先度アンテナ選択部１５とを有する。待受けアンテナ設定部１２は、第１優先度アンテナ選択部１４で選択した第１優先度のアンテナを待受けアンテナとして設定する。切替えアンテナ設定部１３は、第２優先度アンテナ選択部１５で選択した第２優先度のアンテナを切替えアンテナとして設定する。
【００１４】
図５は図１に示した第２のアンテナ選択部３の内部構成の一例を示すブロック図である。図５の第２のアンテナ選択部３は、待受けアンテナの受信強度を測定する待受けアンテナ受信強度測定部２１と、切替えアンテナの受信強度を測定する切替えアンテナ受信強度測定部２２と、復調部６で復調可能な受信強度の上限を記憶する受信強度上限記憶部２３と、受信強度の上限に基づいて待受けアンテナと切替えアンテナのいずれかを選択する待受け切替えアンテナ選択部２４とを有する。待受け切替えアンテナ選択部２４は、待受けアンテナと切替えアンテナのうち受信強度の上限を超えず、かつ受信強度が強い方のアンテナを選択する。
【００１５】
図６は図１のダイバーシチアンテナ装置の処理動作の一例を示すフローチャートである。第１のアンテナ選択部２は、優先度記憶部１の優先度（ステート）を読み込み（ステップＳ１）、第１優先度のアンテナ（図２の例ではアンテナＡ３）を待受けアンテナAntAとして選択し、第２優先度のアンテナ（図２の例ではアンテナＡ１）を切替えアンテナAntBとして選択する（ステップＳ２）。
【００１６】
続いて、スイッチ５により待受けアンテナAntAを選択してフレーム待受けの状態になる。その後、フレームエッジを検出すると（ステップＳ３）、第２のアンテナ選択部３は、待受けアンテナAntAの受信強度PwrAを測定する（ステップＳ４）。
【００１７】
続いて、スイッチ５により切替えアンテナAntBを選択して（ステップＳ５）、第２のアンテナ選択部３２０８にて、切替えアンテナAntBの受信強度PwrBを測定する（ステップＳ６）。続いて、PwrA,PwrBに基づいて、待受けアンテナAntAと切替えアンテナAntBのうち受信強度上限を超えず、かつ、受信強度が強い方のアンテナを選択する（ステップＳ７）。
【００１８】
待受けアンテナAntAを選択した場合、優先度算出部４は、第1優先度のアンテナ以外の少なくとも1つのアンテナの優先度の内容を更新する（ステップＳ８，Ｓ９）。例えば、第1優先度のアンテナ（図２の例ではアンテナＡ３）の優先度を変更せず、第2優先度のアンテナ（図２の例ではアンテナＡ１）の優先度を一番低くし、それ以外のアンテナ（アンテナＡ２，Ａ４）の優先度を各々1段階ずつ高くする。
【００１９】
一方、切替えアンテナAntBを選択した場合、優先度算出部４は、少なくとも第2優先度のアンテナの優先度を第1優先度または第2優先度にする。例えば、第1優先度のアンテナ（図２の例ではアンテナＡ３）の優先度を一番低くし、それ以外のアンテナ（アンテナＡ１，Ａ２，Ａ４）の優先度を各々1段階ずつ高くする（ステップＳ８，Ｓ１０）。
【００２０】
図７は図６のステップＳ９の処理内容をより詳しく示すフローチャートである。図示のように、待受けアンテナAntAを選択した場合には、優先度の値を示すステートSiを３で割った余り（Si％３）に１を加える処理を行う（ステップＳ１５）。この処理により、第２優先度のアンテナの優先度が最低になり、それ以外のアンテナの優先度は１段階ずつ高くなる。
【００２１】
図８は図６のステップＳ１０の処理内容をより詳しく示すフローチャートである。図示のように、切替えアンテナAntBを選択した場合には、優先度の値を示すステートSiを４で割った余り（Si％４）に１を加える処理を行う（ステップＳ１６）。この処理により、第１優先度のアンテナの優先度が最低になり、それ以外のアンテナの優先度は１段階ずつ高くなる。
【００２２】
図９はアンテナＡ１〜Ａ４の初期ステートに応じて最終ステートが変化する様子を示す図である。例えば、アンテナＡ１〜Ａ４の初期ステートが(4,3,2,1)の場合、待受けアンテナはアンテナＡ１で、切替えアンテナはアンテナＡ２になる。第２のアンテナ選択部３がアンテナＡ１を選択したとすると、最終ステートは(4,1,3,2)になる。また、アンテナＡ１〜Ａ４の初期ステートが(4,1,3,2)の場合、待受けアンテナはアンテナＡ１で、切替えアンテナはアンテナＡ３になる。第２のアンテナ選択部３がアンテナＡ３を選択したとすると、最終ステートは(1,2,4,3)になる。また、アンテナＡ１〜Ａ４の初期ステートが(1,2,4,3)の場合、待受けアンテナはアンテナＡ３で、切替えアンテナはアンテナＡ４になる。第２のアンテナ選択部３がアンテナＡ３を選択したとすると、最終ステートは(2,3,4,1)になる。また、アンテナＡ１〜Ａ４の初期ステートが(2,3,4,1)の場合、待受けアンテナはアンテナＡ３で、切替えアンテナはアンテナＡ２になる。第２のアンテナ選択部３がアンテナＡ２を選択したとすると、最終ステートは(3,4,1,2)になる。
【００２３】
このように、第１の実施形態では、アンテナＡ１〜Ａ４に優先度を付け、その優先度に基づいて第１のアンテナ選択部２で２つのアンテナを選択した後、この選択した２つのうちの一つを第２のアンテナ選択部３で選択するため、第１および第２のアンテナ選択部２，３での選択内容により種々のアンテナを選択でき、アンテナが３素子以上あっても、その中から最適なアンテナを選択することができる。
【００２４】
また、初期状態では第１優先度のアンテナを待受けアンテナとして設定するため、フレームエッジ検出の成功率を向上できる。
【００２５】
また、第２のアンテナ選択部３は、受信強度が所定の上限を超えないようなアンテナを選択するため、通信装置間の距離が非常に近い場合でも、無線機の受信信号が飽和するおそれがなく、S/N比を向上できる。
【００２６】
また、第２のアンテナ選択部３が第1優先度のアンテナを選択した場合、このアンテナ以外のアンテナの優先度を更新するため、常に第１優先度のアンテナは第２のアンテナ選択部３に供給され、このアンテナが選択される可能性が高くなるため、伝播環境が大きく変動しない限り、受信成功確率を上げることができる。
【００２７】
さらに、第２のアンテナ選択部３が第2優先度のアンテナを選択した場合、このアンテナの優先度を第1優先度にするため、次のフレーム受信時にこのアンテナが第２のアンテナ選択部３で選択される可能性が高くなり、伝播環境が大きく変動しない限り、受信成功確率を上げることができる。
【００２８】
（第２の実施形態）
図１０は本発明に係るダイバーシチアンテナ装置の第２の実施形態の概略構成を示すブロック図である。
【００２９】
この第２の実施形態は、第１の実施形態の変形例であり、第１の実施形態の図１と異なる部分についてのみ説明する。図１０のダイバーシチアンテナ装置は、図１の構成に加えて、無線信号のフレームを最初から最後まで正常に受信したことを検出する受信完了検出部７を備えている。優先度算出部４は、無線信号のフレームが最初から最後まで正常に受信されたことが受信完了検出部７で検出された場合のみ、各アンテナＡ１〜Ａ４の優先度を更新して、優先度記憶部１に記憶する。
【００３０】
図１１は図１０のダイバーシチアンテナ装置の処理動作の一例を示すフローチャートである。図１１のフローチャートは、図６にステップＳ２１の処理を新たに追加したものであり、図６と異なる部分についてのみ説明する。
【００３１】
このステップＳ２１では、フレームを最初から最後まで受信したか否かを判定する。受信できなかった場合はステップＳ１に戻り、受信できた場合は、待受けアンテナが選択された場合にはステップＳ８，Ｓ９の処理を行い、切替えアンテナが選択された場合にはステップＳ８，Ｓ１０の処理を行う。
【００３２】
図１２はアンテナＡ１〜Ａ４の初期ステートに応じて最終ステートが変化する様子を示す図である。図１２の１〜４行の組み合わせはフレームを最初から最後まで受信できた場合を示し、残りの２行の組み合わせはフレームを受信できなかった場合を示している。フレームを受信できなかった場合は、最終ステートは初期ステートと同じになる。
【００３３】
このように、第２の実施形態では、無線信号のフレームを最初から最後まで受信できた場合のみ、優先度の更新を行うため、通信相手以外の信号（干渉波）が優先度に悪影響を与えるおそれを回避できる。
【００３４】
（第３の実施形態）
第３の実施形態は、第２の実施形態の変形例であり、フレームの最初から最後までの少なくとも一部を受信できなかった場合に、優先度の更新を行うものである。
【００３５】
ダイバーシチアンテナ装置の第３の実施形態は、図１０と同様のブロック構成を有するが、優先度算出部４の動作が異なっている。第３の実施形態の優先度算出部４は、フレームの最初から最後までの少なくとも一部が受信できなかったことを受信完了検出部７が検出した場合には、第１優先度のアンテナ以外の少なくとも一つのアンテナの優先度を更新する。例えば、第１優先度のアンテナの優先度は変更せず、第２優先度のアンテナの優先度を最低にし、それ以外のアンテナの優先度を１段階ずつ高くする。
【００３６】
図１３は第３の実施形態の処理動作の一例を示すフローチャートである。図１３のフローチャートは、第２の実施形態で説明した図１１にステップＳ２２を追加したものである。ステップＳ２１でフレームの最初から最後までの少なくとも一部が受信できなかったと判断された場合、第１優先度のアンテナ以外のアンテナの優先度を更新した後（ステップＳ２２）、ステップＳ１に戻る。
【００３７】
図１４はアンテナＡ１〜Ａ４の初期ステートに応じて最終ステートが変化する様子を示す図である。上から５および６つ目の組み合わせはフレームを最初から最後まで受信できなかった場合を示している。この場合、ステップＳ２２にて、第１優先度のアンテナ以外のアンテナの優先度が更新される。
【００３８】
このように、第３の実施形態では、フレームの最初から最後までの少なくとも一部が受信できなかった場合、第１優先度のアンテナ以外のアンテナの優先度を変更するため、それ以降に第２のアンテナ選択部３で選択を行う際の２つのアンテナの組み合わせが変化し、フレームの最初から最後までの少なくとも一部を受信できない状態が長い間継続する事態を回避できる。
【００３９】
（第４の実施形態）
第４の実施形態は、カウンタを新たに追加するものである。
【００４０】
図１５は本発明に係るダイバーシチアンテナ装置の第４の実施形態の概略構成を示すブロック図である。
【００４１】
この第２の実施形態は、第１の実施形態の変形例であり、第１の実施形態の図１と異なる部分についてのみ説明する。図１５のダイバーシチアンテナ装置は、図１の構成に加えて、第１優先度のアンテナを選択するたびにカウントアップし、第２優先度のアンテナを選択するたびにカウントダウンするカウンタ８を備えている。
【００４２】
優先度算出部４は、カウンタ８の値が所定値以下になった場合のみ、アンテナの優先度を更新する。より具体的には、優先度算出部４は、カウンタ８の値が所定値より大きければ、優先度を変更せず、カウンタ８の値が所定値以下になると、第１優先度のアンテナの優先度を最低にし、それ以外のアンテナの優先度をそれぞれ一段階ずつ高くする。
【００４３】
図１６に示すように、優先度算出部４が優先度を更新するたびに、カウンタ８の値も更新される。図１６の例では、第１優先度のアンテナがアンテナＡ３で、カウンタ８の値が１を示している。
【００４４】
図１７は第４の実施形態の処理動作の一例を示すフローチャートである。図１７では、図１１と同じ処理には同一のステップ番号を付している。ステップＳ２１でフレームを最初から最後まで受信したと判定されると、第１優先度のアンテナ以外のアンテナの優先度（ステートSi）を更新する（ステップＳ３１）。次に、第１優先度のアンテナの優先度を更新するとともに、カウンタ８をカウントアップまたはカウントダウンする（ステップＳ３２）。
【００４５】
図１８は図１７のステップＳ３１の詳細動作の一例を示すフローチャートである。まず、第２のアンテナ選択部３が待受けアンテナAntAを選択したか否かを判定し（ステップＳ４１）、YESの場合には、第２優先度のアンテナの優先度を最低にし、その他のアンテナの優先度を１段階ずつ高くする（ステップＳ４２）。
【００４６】
一方、ステップＳ４１がNOの場合には、カウンタ８の値がゼロか否かを判定する（ステップＳ４３）。カウンタ８の値がゼロであれば、第１優先度のアンテナ以外のアンテナの優先度を１段階ずつ高くする（ステップＳ４４）。
【００４７】
図１９は図１７のステップＳ３２の処理動作の一例を示すフローチャートである。まず、第２のアンテナ選択部３が待受けアンテナAntAを選択したか否かを判定し（ステップＳ５１）、YESの場合には、カウンタ８の値をカウントアップする（ステップＳ５２）。
【００４８】
ステップＳ５１がNOの場合には、カウンタ８の値がゼロか否かを判定し（ステップＳ５３）、ゼロでなければカウンタ８の値をカウントダウンする（ステップＳ５４）。ステップＳ５３でゼロと判定されると、アンテナの優先度を最低（Si＝１）にする（ステップＳ５５）。
【００４９】
図２０はアンテナＡ１〜Ａ４の初期ステートに応じて最終ステートが変化する様子を示す図である。図２０において、１行目の初期ステートの組み合わせ(4,3,2,1)は、カウンタ８の値がゼロであり、第２のアンテナ選択部３がアンテナＡ１を選択したとすると、最終ステートは(4,1,3,2)になり、カウンタ８の値は１にカウントアップする。また、２行目の初期ステートの組み合わせ(4,1,3,2)は、カウンタ８の値が１であり、第２のアンテナ選択部３がアンテナＡ３を選択したとすると、最終ステートは(4,1,3,2)になり、カウンタ８の値はゼロになる。また、３行目の初期ステートの組み合わせ(4,1,3,2)は、カウンタ８の値がゼロであり、第２のアンテナ選択部３がアンテナＡ３を選択したとすると、最終ステートは(1,2,4,3)になり、カウンタ８の値はゼロになる。また、４行目の初期ステートの組み合わせ(1,2,4,3)は、カウンタ８の値がゼロであり、第２のアンテナ選択部３がアンテナＡ３を選択したとすると、最終ステートは(2,3,4,1)になり、カウンタ８の値は１になる。
【００５０】
このように、第４の実施形態では、カウンタ８を設けて、第１および第２優先度のアンテナを選択した回数を計測するようにしたため、干渉やシャドウイング等で一時的に伝搬環境が変わってもアンテナの選択結果が優先度に反映されなくなり、干渉やシャドウイング等が優先度に悪影響を与えるのを回避できる。
【００５１】
（第５の実施形態）
第５の実施形態は、第３および第４の実施形態を組み合わせたものである。
【００５２】
図２１は第５の実施形態の処理手順の一例を示すフローチャートである。図２１のフローチャートでは、フレームの最初から最後までの少なくとも一部を受信できなかった場合には、第１優先度のアンテナ以外のアンテナの優先度を変更する（ステップＳ２２）。すなわち、第１優先度のアンテナの優先度は変更せず、第２優先度のアンテナを変更して、再度、フレームを最初から最後まで受信できるかどうかを調べる。一方、フレームを最初から最後まで受信できた場合には、各アンテナＡ１〜Ａ４の優先度を更新するとともに、カウンタ８の値も更新する（ステップＳ３１，Ｓ３２）。
【００５３】
ステップＳ２２は、上述した図７と同様の処理を行う。すなわち、第２優先度のアンテナの優先度を最低にし、それ以外のアンテナの優先度を１段階ずつ高くする。
【００５４】
図２２はアンテナＡ１〜Ａ４の初期ステートに応じて最終ステートが変化する様子を示す図である。図２２の５および６行目の初期ステートの組み合わせがフレームの最初から最後までの少なくとも一部を受信できなかった場合を示している。この場合、第１優先度のアンテナの優先度は変わらず、第２優先度のアンテナの優先度が変わる。
【００５５】
このように、第５の実施形態では、フレームの最初から最後までの少なくとも一部を受信できなかった場合に、第１優先度のアンテナ以外のアンテナの優先度を変更することにより、第２のアンテナ選択部３で選択する対象となる２つのアンテナの組み合わせが変わり、フレームの最初から最後まで受信できない状態が継続するのを回避できる。
【００５６】
（第６の実施形態）
第６の実施形態は、無線信号を送信した無線通信装置を検出するものである。
【００５７】
図２３は本発明に係るダイバーシチアンテナ装置の第６の実施形態の概略構成を示すブロック図である。
【００５８】
この第２の実施形態は、第１の実施形態の変形例であり、第１の実施形態の図１と異なる部分についてのみ説明する。図２３のダイバーシチアンテナ装置は、図１の構成に加えて、特定の無線通信装置からの無線信号を受信したことを検出する送信元検出部９を備えている。優先度算出部４は、送信元検出部９が特定の無線通信装置からの無線信号を受信したことを検出した場合のみ、優先度を更新して、新たな優先度を優先度記憶部１に記憶する。
【００５９】
図２４は第６の実施形態の処理動作の一例を示すフローチャートである。第２のアンテナ選択部３が待受けアンテナAntAか切替えアンテナAntBのいずれかを選択した後（ステップＳ７）、送信元検出部９が特定の無線通信装置からの無線信号を受信したことを検出したか否かを判定する（ステップＳ６１）。特定の無線通信装置からの無線信号の受信を検出しなかった場合はステップＳ１に戻り、特定の無線通信装置からの無線信号の受信を検出した場合には、第２のアンテナ選択部３が待受けアンテナを選択したか否かを判定して（ステップＳ８）、優先度の更新処理を行う（ステップＳ９，Ｓ１０）。
【００６０】
このように、第６の実施形態では、特定の無線通信装置からの無線信号を受信した場合のみ、アンテナの優先度を更新するため、特定の無線通信装置からの無線信号以外の無線信号（例えば、干渉波）により誤ってアンテナの優先度を更新するおそれがなくなる。
【００６１】
（第７の実施形態）
第７の実施形態は、４素子からなるアンテナを有する制御部を２組設け、これら２組の制御部で受信された無線信号を合成して復調するものである。
【００６２】
図２５は本発明に係るダイバーシチアンテナ装置の第７の実施形態の概略構成を示すブロック図である。図２５のダイバーシチアンテナ装置は、第１のアンテナ選択部２と、第２のアンテナ選択部３と、優先度算出部４と、をそれぞれ有する２組の制御部３１，３２を備えている。各制御部３１，３２には、スイッチ３３，３４を介して、４素子からなるアンテナ３５，３６がそれぞれ接続されている。この他、図２５のダイバーシチアンテナ装置は、各アンテナの受信信号を合成する合成部３７を備えており、この合成部３７の合成出力が復調部６に送られる。
【００６３】
図２６は合成部３７の内部構成の一例を示すブロック図である。図２６の合成部３７は、２つのアンテナの受信信号の位相差を検出して重み係数を設定する重み係数設定部３８と、２つのアンテナの受信信号の一方に対して重み係数で重み付けする重み付け部３９と、重み付けされた受信信号と他のアンテナの受信信号とを加算する加算器４０とを有する。
【００６４】
このように、第７の実施形態では、それぞれ多素子からなる複数のアンテナ３５，３６それぞれについて各アンテナ素子の優先度を設定して、最適なアンテナ素子で無線信号を受信し、これら複数のアンテナ３５，３６での受信信号を合成して復調するようにしたため、一部のアンテナでの受信感度が一時的に悪くなったり、干渉を受けたりしても、その影響を受けにくくなる。
【００６５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６６】
【図１】本発明に係るダイバーシチアンテナ装置の第１の実施形態の概略構成を示すブロック図。
【図２】優先度記憶部１に記憶される内容の一例を示す図。
【図３】優先度記憶部１の内部構成の一例を示すブロック図。
【図４】図３の第１第２優先度アンテナ選択部１１の内部構成の一例を示すブロック図。
【図５】図１に示した第２のアンテナ選択部３の内部構成の一例を示すブロック図。
【図６】図１のダイバーシチアンテナ装置の処理動作の一例を示すフローチャート。
【図７】図６のステップＳ９の処理内容をより詳しく示すフローチャート。
【図８】図６のステップＳ１０の処理内容をより詳しく示すフローチャート。
【図９】アンテナＡ１〜Ａ４の初期ステートに応じて最終ステートが変化する様子を示す図。
【図１０】本発明に係るダイバーシチアンテナ装置の第２の実施形態の概略構成を示すブロック図。
【図１１】図１０のダイバーシチアンテナ装置の処理動作の一例を示すフローチャート。
【図１２】アンテナＡ１〜Ａ４の初期ステートに応じて最終ステートが変化する様子を示す図。
【図１３】第３の実施形態の処理動作の一例を示すフローチャート。
【図１４】アンテナＡ１〜Ａ４の初期ステートに応じて最終ステートが変化する様子を示す図。
【図１５】本発明に係るダイバーシチアンテナ装置の第４の実施形態の概略構成を示すブロック図。
【図１６】ステートとカウンタの値との関係を説明する図。
【図１７】第４の実施形態の処理動作の一例を示すフローチャート。
【図１８】図１７のステップＳ３１の詳細動作の一例を示すフローチャート。
【図１９】図１７のステップＳ３２の処理動作の一例を示すフローチャート。
【図２０】アンテナＡ１〜Ａ４の初期ステートに応じて最終ステートが変化する様子を示す図。
【図２１】第５の実施形態の処理手順の一例を示すフローチャート。
【図２２】アンテナＡ１〜Ａ４の初期ステートに応じて最終ステートが変化する様子を示す図。
【図２３】本発明に係るダイバーシチアンテナ装置の第６の実施形態の概略構成を示すブロック図。
【図２４】第６の実施形態の処理動作の一例を示すフローチャート。
【図２５】本発明に係るダイバーシチアンテナ装置の第７の実施形態の概略構成を示すブロック図。
【図２６】合成部３７の内部構成の一例を示すブロック図。
【符号の説明】
【００６７】
１  優先度記憶部
２  第１のアンテナ選択部
３  第２のアンテナ選択部
４  優先度算出部
５  スイッチ
６  復調部
７  受信完了検出部
８  カウンタ
９  送信元検出部
１１  第１第２優先度アンテナ選択部
１２  待受けアンテナ設定部
１３  切替えアンテナ設定部
１４  第１優先度アンテナ選択部
１５  第２優先度アンテナ選択部
２１  待受けアンテナ受信強度測定部
２２  切替えアンテナ受信強度測定部
２３  受信強度上限記憶部
２４  待受け切替えアンテナ選択部
３１，３２  制御部
３３，３４  スイッチ
３５，３６  アンテナ
【図１】
2005130175.tif 000003
【図２】
2005130175.tif 000004
【図３】
2005130175.tif 000005
【図４】
2005130175.tif 000006
【図５】
2005130175.tif 000007
【図６】
2005130175.tif 000008
【図７】
2005130175.tif 000009
【図８】
2005130175.tif 000010
【図９】
2005130175.tif 000011
【図１０】
2005130175.tif 000012
【図１１】
2005130175.tif 000013
【図１２】
2005130175.tif 000014
【図１３】
2005130175.tif 000015
【図１４】
2005130175.tif 000016
【図１５】
2005130175.tif 000017
【図１６】
2005130175.tif 000018
【図１７】
2005130175.tif 000019
【図１８】
2005130175.tif 000020
【図１９】
2005130175.tif 000021
【図２０】
2005130175.tif 000022
【図２１】
2005130175.tif 000023
【図２２】
2005130175.tif 000024
【図２３】
2005130175.tif 000025
【図２４】
2005130175.tif 000026
【図２５】
2005130175.tif 000027
【図２６】
2005130175.tif 000028